(57)【要約】【課題】  １個のクリップに２つの挟持部を持ち、挟む、吊るす、掛ける、付ける、合わす、押さえる、吸着する、引き寄せるなどの機能を備え、使う人の工夫で利用方法は無限にあるクリップを提供する。【解決手段】  支持基板と該支持基板の一端から湾曲連結部を介して挟持溝を形成する挟持板を備えた第一挟持部と、該支持基板の他端から同じく湾曲連結部を介して挟持溝を形成する挟持板を備えた第二挟持部の2つの挟持部を持つ側面視Ｚ字状のクリップ本体と、Ｚ字状に折り畳まれたクリップ本体の対向する面同士にそれぞれ吸着し合う磁性体を取り付けたクリップ。また、他の実施の形態のクリップとして、前記クリップ本体を第一本体と第二本体とに分け、２つを留め具で結合し、留め具と中心に回転し、挟持する向きを自由に変えられる側面視Ｚ字状のクリップ。【選択図】  図３
2019064215.tif 000002
【特許請求の範囲】
【請求項１】
側面視において、Ｚ字状に折り畳み可能なクリップ本体のＺ字状に折り畳まれた時に、互いに対向する面にそれぞれ吸着し合う磁性体を取り付けたクリップ。
【請求項２】
前記クリップ本体は、Ｖ字状の第一本体とＶ字状の第二本体から構成され、前記第一本体の前記Ｖ字状の一辺と前記第二本体の前記Ｖ字状の一辺とが結合されて、前記Ｚ字状を形成する請求項１に記載のクリップ。
【請求項３】
前記第一本体と前記第二本体は、前記第一本体の前記Ｖ字状の一辺と前記第二本体の前記Ｖ字状の一辺とが中央部を中心として回転可能に連結されている請求項２に記載のクリップ。
【請求項４】
前記磁性体は、それぞれ磁石である。或いは、一方が磁石、他方が鉄系の金属である請求項１から３のいずれかに記載のクリップ。
【発明の詳細な説明】
【技術分野】
【０００１】
本発明は、挟む、吊るす、掛ける、付ける、合わす、押さえる、吸着する、引き寄せるＬ字状にして使用できるなどの機能を持つ２つの挟み部分があるクリップに関するものである。
【背景技術】
【０００２】
従来、クリップには、２個のマグネットを使って、挟み部分が１つだけのものがある。（例えば、特許文献１参照。）
また、３個のマグネットを使っているものがある。（例えば、非特許文献１参照。）
【先行技術文献】
【特許文献】
【０００３】
【特許文献１】実用新案登録第３０８５４６１号公報
【非特許文献】
【０００４】
【非特許文献１】サンエース株式会社のトリプルマグネットクリップ（２０１７、９、１５）heep://www.novelty.tokyo/
【発明の概要】
【発明が解決しようとする課題】
【０００５】
特許文献１のように２個の磁石を互いに吸着させて被挟持物を挟持する。
挟持したまま置いたり、スチール黒板・冷蔵庫など鉄系の金属板に吸着させて置いたりするなどの使い方が知られているが、使い方に限りがあり、使う人の工夫で使えるような機能が少なかった。
非特許文献１のように３個の磁石を使って、中央に位置した磁石に、両端に設けた磁石を吸着させて挟持することが知られているが、挟持力が弱く、挟持する長さも幅も狭い、挟持するスペースのわりにクリップの長さが長い、２つの被挟持物を挟持すると被挟持物が横にずれた位置になり重ねた状態にできない、コンパクトさに欠けコンパクトにすれば挟持のスペースが大幅に小さくなるという欠点があり、機能面で様々な使い方ができず、応用範囲の狭いものであった。
【０００６】
２個や３個の磁石を使ったクリップであっても、鉄系の金属板に吸着させるには、１個分の磁力だけのため、吸着力が弱く、ずり落ちたり、外れたりしやすい。
本発明は、これらの問題点を解決するためになされたものである。
【課題を解決するための手段】
【０００７】
請求項１に記載の発明は、側面視において、Ｚ字状に折り畳み可能なクリップ本体のＺ字状に折り畳まれた時に、互いに対向する面にそれぞれ吸着し合う磁性体を取り付けたクリップである。
【０００８】
請求項２に記載の発明は、前記クリップ本体は、Ｖ字状の第一本体とＶ字状の第二本体から構成され、前記第一本体の前記Ｖ字状の一辺と前記第二本体の前記Ｖ字状の一辺とが結合されて、前記Ｚ字状を形成する請求項１に記載のクリップである。
【０００９】
請求項３に記載の発明は、前記第一本体と前記第二本体は、前記第一本体の前記Ｖ字状の一辺と前記第二本体の前記Ｖ字状の一辺とが中央部を中心として回転可能に連結されている請求項２に記載のクリップである。
【００１０】
請求項４に記載の発明は、前記磁性体は、それぞれ磁石である。或いは、一方が磁石、他方が鉄系の金属である請求項１から３のいずれかに記載のクリップである。
【発明の効果】
【００１１】
本発明のクリップは、上記のように構成されていて、挟持部が２つあり、同時に２種類の被挟持物が挟持でき、更に、鉄系の金属板である冷蔵庫やボードなどに吸着しておくことができる。
【００１２】
磁石が４個あることで、１個のクリップで挟む、吊るす、掛ける、付ける、合わす、押さえる、支える、吸着する、引き寄せるなどができ、使う人の工夫で使い方が無限に実現できる。
【００１３】
図１１と図１３に示すように、互いに隣接する２つの対向した被挟持物を挟持して引き寄せて留めることができる。
【００１４】
クリップが小さくても、図２２、２３に示すように、クリップをＬ字状にして、重いものなどもずり落ちることなく利用することができる。
【００１５】
小さくて細いため、図１１、図１５のような使い方もでき、従来、他の用具を使っていたことも可能になった。
【００１６】
図２３に示すように、スチールの棚など側面が狭くて、側面に磁石を吸着させることができないときや側面が鉄系の金属でできていない時にも利用できる。  
【００１７】
次に、本発明の第２の発明の効果について説明する。
【００１８】
本クリップの機能に加えて、第一本体と第二本体が結合されている留め具を中心に３６０度自由に回転することができるため、図３１、図３２に示すように第一本体と第二本体の角度を変えて挟持できることで、使い道が増え、利便性があるクリップになった。
【図面の簡単な説明】
【００１９】
【図１】本発明のクリップの被挟持物を挟持するために開いた斜視図である。
【図２】本発明のクリップの開いた斜視図である。
【図３】本発明のクリップの被挟持物を挟持した斜視図である。
【図４】本発明のクリップの被挟持物を挟持した断面図である。
【図５】本発明のクリップの開いた側面の断面図である。
【図６】本発明のクリップの閉じ側面の断面図である。
【図７】本発明のクリップの閉じた側面の断面図である。
【図８】本発明のクリップの閉じた側面の断面図である。
【図９】本発明のクリップの開いた側面の断面図である。
【図１０】本発明のクリップの開いた側面の断面図である。
【図１１】本発明のクリップの使用方法の説明図である。
【図１２】本発明のクリップの使用方法の説明図である。
【図１３】本発明のクリップの使用方法の説明図である。
【図１４】図１３Ａ−Ａ線断面図である。
【図１５】本発明のクリップの使用方法の説明図である。
【図１６】図１５Ｂ−Ｂ線断面図である。
【図１７】本発明のクリップの使用方法の説明図である。
【図１８】本発明のクリップの使用方法の説明図である。
【図１９】本発明のクリップの使用方法の説明図である。
【図２０】本発明のクリップの使用方法の説明図である。
【図２１】本発明のクリップの使用方法の説明図である。
【図２２】本発明のクリップの使用方法の説明図である。
【図２３】本発明のクリップの使用方法の説明図である。
【図２４】本発明のクリップの使用方法の説明図である。
【図２５】本発明のクリップの使用方法の説明図である。
【図２６】本発明の他の実施の形態のクリップの開いた斜視図である。
【図２７】本発明の他の実施の形態のクリップの開いた側面の断面図である。
【図２８】本発明の他の実施の形態のクリップの閉じた側面の断面図である。
【図２９】本発明の他の実施の形態のクリップの閉じた側面の断面図である。
【図３０】本発明の他の実施の形態のクリップの閉じた側面の断面図である。
【図３１】本発明の他の実施の形態のクリップの使用方法の説明図である。
【図３２】本発明の他の実施の形態のクリップの使用方法の説明図である。
【発明を実施するための形態】
【００２０】
以下、本発明の実施の形態について説明する。
【００２１】
支持基板５と、支持基板５の一端から湾曲連結部７ａを介して挟持溝８ａを形成する挟持板６ａを備えた第一挟持部３と支持基板５の他端から同じく湾曲連結部７ｂを介して挟持溝８ｂを形成する挟持板６ｂを備えた第二挟持部４とでなる側面視Ｚ字状のクリップ本体２とＺ字状に折り畳まれたクリップ本体２の対向する面同士にそれぞれ吸着し合う磁性体を取り付ける。
磁石は、挟持板６ａの湾曲連結部７ａとは逆の端部と支持基板５の湾曲連結部７ａとは逆の端部を互いに吸着させるため一対の磁石を、挟持板６ａの湾曲連結部７ａとは逆の端部と支持基板５の湾曲連結部７ａとは逆の端部に設けるとともに、挟持板６ｂの湾曲連結部７ｂとは逆の端部と支持基板５の湾曲連結部７ｂとは逆の端部を互いに吸着させるため一対の磁石を、挟持板６ｂの湾曲連結部７ｂとは逆の端部と支持基板５の湾曲連結部７ｂとは逆の端部に設ける
第一挟持部３の支持基板５と第二挟持部４の支持基板５は共用である。
湾曲連結部７a、湾曲連結部７ｂは、湾曲にするため、成形時に図２に示す程度に湾曲にしておくか、湾曲にしないで平面状にした時には、湾曲連結部７a、湾曲連結部７ｂできれいに湾曲する為に、湾曲連結部７a、湾曲連結部７ｂの中央部分にそれぞれ溝３６ａ、溝３６ｂを設けたり、湾曲連結部７a、湾曲連結部７ｂの中央部分にそれぞれ支持基板５や挟持板６a、挟持板６ｂよりも厚みを薄くしたり、湾曲連結部７a、湾曲連結部７ｂの中央にそれぞれ折り目を付けたりするなど、クリップ本体２の材質によって最適な方法で湾曲にして開閉が楽にできるようにする。
クリップ本体２は、支持基板５、湾曲連結部７a、湾曲連結部７ｂ、挟持板６a、挟持板６ｂから構成され、同じ材質で、連結したものである。
クリップ本体２は、軽量で硬質でありながら折り曲げに対しては非常に強い、また柔軟性があり引っ張りに対しても強さがあり、耐久性のよいポリプロピレンが最適である。
しかし、クリップ本体２と磁石との接着力、製造方法、デザイン、採算性等の関係で、他の樹脂の選択も十分に考える。
クリップ本体２の材質は、軟質・硬質のどちらでもよいが、少し硬い目の柔軟性のある方が、少し大きい被挟持物を挟持するときには反ったりするので最適である。
また、クリップ全体を自由に曲げたり折ったりする必要があるときには、柔軟な材質を使う。
支持基板５と挟持板６ａ、挟持板６ｂのそれぞれを開閉するとき、力が要らないように湾曲連結部７ａ、７ｂに工夫をするかクリップ本体２の材質を柔軟なものにする。
支持基板５に取り付けた磁石９ｂと挟持板６aに取り付けた磁石９ａ、磁石９ｄと挟持板６ｂに取り付けた磁石９ｃとは正確に対向させ、対向する面の極は異極にして、引き合うようにする。吸着した時は正確に重合するようにする。
支持基板５の一方の端から湾曲連結部７aを介して挟持溝８ａを形成するように挟持板６aを設け、他方の端から湾曲連結部７ｂを介して挟持溝８ｂを形成するように挟持板６ｂを設ける。
こうして、第一挟持部３と第二挟持部４の2つの挟持部を作り、２つ同時に被挟持物を挟持することができるようにする。
磁石は、対向する磁石が、吸着し合う力よりも強い接着力のある接着剤等で取り付ける。
磁石には、ネオジム磁石・アルニコ磁石・フェライト磁石・サマリウムコバルト磁石など各種あるが、クリップの大きさ、磁力の強さ、磁石の大きさなどの関係を考慮し、適切なものを使う。
磁石９a、磁石９ｂ、磁石９ｃ、磁石６ｄに代わる鉄系金属板１１a、鉄系金属板１１ｂ、鉄系金属板１１ｃ、鉄系金属板１１ｄは、強力な接着剤で支持基板５や挟持板６a、挟持板６ｂに固定する。両面テープを使うことも可能である。
第一挟持部３、第二挟持部４の各挟持板６a、挟持板６ｂの先端にそれぞれ磁石９a、磁石９ｃを取り付けるが、支持基板５から挟持板６a、挟持板６ｂを離す時、挟持板６a、挟持板６ｂの先端に指をかけて持ち上げるため、指がかけやすいように先端部１０ａ、先端部１０ｂを設ける。
第一挟持部３の支持基板５と挟持板６aの間には挟持溝８a、第二挟持部４の支持基板５と挟持板６ｂの間には挟持溝８ｂを形成して、被挟持物を挟持する。
被挟持物によっては、磁石に直接触れないで、挟持溝８ａ、挟持溝８ｂだけで挟持したり、湾曲連結部７ａ、湾曲連結部７ｂで吊るしたりすることもできる。
【００２２】
図６のクリップは、磁石９a、磁石９ｂ、磁石９ｃ、磁石６ｄとシリコンや合成樹脂３５を一体成形する。支持基板５と、支持基板５の一端から湾曲連結部７ａを介して挟持溝８ａを形成する挟持板６ａを備えた第一挟持部３と支持基板５の他端から同じく湾曲連結部７ｂを介して挟持溝８ｂを形成する挟持板６ｂを備えた第二挟持部４とでなる側面視Ｚ字状のクリップ本体２とＺ字状に折り畳まれたクリップ本体２の対向する面同士にそれぞれ吸着し合う磁性体を一体成型する。
磁石に対して、シリコンや合成樹脂で防水加工ができるため、防錆加工が施されることになり、水分の多いところや水中で使うことも可能になる。
シリコンや合成樹脂３５の厚みは、すべて同じ厚みでもよいが、磁石９a、磁石９ｂ、磁石９ｃ、磁石６ｄの磁力が弱い時、磁石９a、磁石９ｂ、磁石９ｃ、磁石９ｄの周りを薄くし、磁石９a、磁石９ｂ、磁石９ｃ、磁石６ｄの磁力が弱まらないようにする。
成形するとき、湾曲連絡部７a、湾曲連絡部７ｂの部分を少し湾曲にして成形するか、平面状にする。平面状にしたときは、湾曲連絡部７a、湾曲連絡部７ｂの厚みを少し薄くしたり、湾曲連絡部７a、湾曲連絡部７ｂに折り目の溝３６a 、溝３６ｂを設けたりして、湾曲になるようにする。
自由に変形できる材質のときは、何も施さない平面状で良い。上記などの方法で湾曲連絡部７a、湾曲連絡部７ｂが湾曲しやすいようにする。
シリコンで、一体成型すると摩擦力が強くなり、吸着力が高まる。
また、自由自在に屈曲でき、自由に形が変えられるため、用途が更に広がる。手触りも良い。
【００２３】
図７に示す磁石カバー１２a、磁石カバー１２ｂは、挟持板６a、挟持板６ｂに取り付けた磁石９a、磁石９ｃには磁石９a、９ｃと先端部１０a、先端部１０ｂを被った磁石カバー１２aを、支持基板５の磁石９ｂ、磁石９ｄには、磁石周辺を被った磁石カバー１２ｂを設ける。
磁石カバーを設けることによって、クリップ本体２と磁石との接着力を補強するとともに磁石の防錆加工が施される。
また、磁石カバーには、滑り止め加工を施す。摩擦力の強い滑り止め効果のある材質を使うなどの滑り止めによって、被挟持物を滑らずにしっかり挟持し保持力が強くなる。
支持基板と挟持部を離す時などに指がかけやすく、更に扱いやすいクリップとなる。
磁石カバー１２a、磁石カバー１２ｂは、シリコンや合成樹脂等を塗布、被嵌などの方法で行う。
【００２４】
図８のクリップは、クリップ本体２と磁石９a、磁石９ｂ、磁石９ｃ、磁石９ｄをシリコンや合成樹脂３５などで全体をコーティングしたものである。
クリップ本体２の材質は、少し硬い目の柔軟性のある樹脂や柔らかめの金属が最適である。シリコンや合成樹脂３５によってクリップ本体２と磁石９a、磁石９ｂ、磁石９ｃ、磁石９ｄを完全に被うため、磁石の防錆加工が施されることになり、水分に強く、水分の多いところや水中でも利用できる。
シリコンは特に摩擦力があり、滑りにくいため吸着力を高める。
【００２５】
図９のクリップは、支持基板５に取り付けている磁石９ｂ、磁石９ｄを鉄系の金属板１１a、鉄系の金属板１１ｂに変えたものである。
図１０のクリップは、挟持板６a、挟持板６ｂに取り付けている磁石９a、磁石９ｃを鉄系の金属板１１ｃ、鉄系の金属板１１ｄに変えたものである。
磁石の代わりに鉄系の金属板に変えたことによって、クリップを軽くし、操作するとき、軽く感じるし、経費も節約できる。
鉄系の金属板を設けるにあたっての接着剤は、両面テープでも可能であるが、磁石の磁力の強さでクリップ本体からはなれないような方法で付ける。
鉄系の金属板に変えても、磁石を磁力の強いものにすると、強力に挟持する。
【００２６】
次に、本発明の第２の実施の形態について説明する。
【００２７】
本クリップは、一辺３９ａと、一辺３９ａの一端から湾曲連結部４１ａを介して挟持溝４２ａを形成する挟持板４０ａを備えた側面視Ｖ字状の第一本体３７と、一辺３９ｂと、一辺３９ｂの一端から湾曲連結部４１ｂを介して挟持溝４２ｂを形成する挟持板４０ｂを備えた側面視Ｖ字状の第二本体３８から構成され、前記第一本体３７の前記Ｖ字状の一辺３９ａと、前記Ｖ字状の前記第二本体３８の一辺３９ｂとが留め具４８によって結合されて、前記Ｚ字状を形成する。
第一本体３７の対向する面同士に、それぞれ吸着し合う磁性体を取り付け、第二本体３８の対向する面同士にも、それぞれ吸着し合う磁性体を取り付ける。
【００２８】
第一本体３７の磁石は、挟持部４０ａの湾曲連結部４１ａとは逆の端部と一辺３９ａの湾曲連結部４１ａとは逆の端部を互いに吸着させるため一対の磁石を、挟持部４０ａの湾曲連結部４１ａとは逆の端部と一辺３９ａの湾曲連結部４１ａとは逆の端部に設ける。
第二本体３８の磁石は、挟持部４０ｂの湾曲連結部４１ｂとは逆の端部と一辺３９ｂの湾曲連結部４１ｂとは逆の端部を互いに吸着させるため一対の磁石を、挟持部４０ｂの湾曲連結部４１ｂとは逆の端部と一辺３９ｂの湾曲連結部４１ｂとは逆の端部に設ける。
【００２９】
第一本体３７と第二本体３８が結合されている留め具４８を中心に３６０度自由に回転することができる。
【００３０】
図２８、図２９に示す、第一本体３７と第二本体３８の結合の方法は、第一本体３７の一辺３９ａに穴４７ａを、第二本体３８の一辺３９ｂに穴４７ｂをあけ、カシメやリベットのような、又合成樹脂などで作った留め具４８を穴４７ａ、４７ｂに通して、第一本体３７と第二本体３８を結合し、留め具４８を中心に３６０度自由に回転できるようにする。
図２９は、図２８の第二本体３８を固定したまま、留め具４８を中心に第一本体３７を１８０度回転して、逆向きだった第一本体３７と第二本体３８を同じ向きにしたものである。
【００３１】
図３０に示す、第一本体３７と第二本体３８の向かい合った一辺３９ａ、３９ｂの対向する面に、一体成型で、一方にスナップ状の凸４５と他方にスナップ状の凹４６を作り結合する。
また、スナップロックやホック鋲などのような凸と凹を作り埋め込んだり、貼ったりして、第一本体３７と第二本体３８とを結合する。
【００３２】
図３０は、磁石４３ａ、磁石４３ｂ、磁石４３ｃ、磁石４３ｄとシリコンや合成樹脂を一体成型し、第一本体３７の一辺に凸４５を第二本体３８の一辺に凹４６を作って、凸４５と凹４６とが結合することによって、側面視Ｚ字状のクリップが形成される。
【００３３】
第一本体３７と第二本体３８の結合の方法は、第一本体３７の一辺３９ａと第二本体３８の一辺３９ｂにそれぞれ穴４７ａ、４７ｂを設け、ホック鋲・ピン・スナップボタン・スナップロックなどのようなもので留めたり、一体成型時に同時にスナップ状の凸４５と凹４６を作ったり、又は別にスナップ状の凸と凹を作り、埋め込んだり貼ったりする。
【００３４】
第一本体３７と第二本体３８を、それぞれにシリコンや合成樹脂で磁石４３ａ、磁石４３ｂ、磁石４３ｃ、磁石４３ｄと磁石４３ａ、磁石４３ｂ、磁石４３ｃ、磁石４３ｄの周辺、又は全体を塗布、被嵌などをしたり、磁石４３ａ、磁石４３ｂ、磁石４３ｃ、磁石４３ｄとシリコンや合成樹脂を一体成型したりする方法がある。
【００３５】
第一本体３７と第二本体３８の材質と磁石４３ａ、磁石４３ｂ、磁石４３ｃ、磁石４３ｄ、湾曲連結部４１ａ、４１ｂについては、請求項１のクリップと同様。
本発明は以上のような構成である。                    
【００３６】
本発明の使い方を説明する。
【００３７】
図１に示すのは、一方の手で第二挟持部４を持って、他方の手で第一挟持部３の挟持板６ａの先端部１０aに指をかけて持ち上げて、支持基板５から挟持板６aを離した時のクリップの様子。
指で先端部１０aを持ち上げて、支持基板５から挟持板６aを引き離すと吸着していた支持基板５の磁石９ｂと挟持板６aの磁石９aが離れ、被挟持物が入るスペースができる。
被挟持物を入れて、指で支持基板５の方に押し戻すと、挟持板６aの磁石９aが支持基板５の磁石９ｂと磁力によって吸着し合い重合する。
重なり合った磁石９aと９ｂの磁力によって吸着し合って被挟持物を強力に挟持する。
【００３８】
図３に示すのは、第二挟持部４で用紙３１を挟持し、第一挟持部３は何も挟持していないで開いたままの状態。
第一挟持部３で被挟持物を挟むには、上の挟持板６aを支持基板５から離して、開いたスペースに湾曲連結部７aの近くまで被挟持物を入れ、挟持板６aを支持基板５の方に押し戻すと、支持基板５の磁石９ｂと挟持板６aの磁石９aが磁力によって吸着し合って閉じて挟持する。
【００３９】
図４のように、第一挟持部３と第二挟持部４の両方で被挟持物を挟持することができる。
【００４０】
被挟持物は、直接磁石に触れて挟まれるもの、直接磁石に触れることなく挟持溝の中で支持基板と挟持板で挟まれるもの、挟持溝に入って湾曲連結部で支えられるものなどがある。
【００４１】
図１１に示すのは、ワイシャツ１４の台衿１５a、台衿１５ｂの型崩れを防ぐためにボタンの代わりに、ボタンのついている台衿１５aとボタンの穴のある台衿１５ｂを引き寄せてボタンの代わり利用した図である。
洗濯後干す時には、生地がぬれているためボタンを留めるのに苦労する。
乾燥後、取り入れる時や着衣するときボタンを外すが、くっついた状態で取り外しにくくなっている。
本クリップを使うと、すぐに外せて上記のような問題は起こらない。
使い方は、第一挟持部３の支持基板５から挟持板６aを離して、第一ボタンのある台衿１５aに差し込んで挟持板６aを押し戻すと支持基板５の磁石９ｂと挟持板６aの磁石９aが引き合い台衿１５aを留める。
次にボタン穴のある台衿１５ｂの方を引き寄せて、第二挟持部４の挟持板６ｂを支持基板５から離して、第一ボタン穴のある台衿１５ｂを差し込んで挟持板６ｂを離すと、支持基板５の磁石９ｄと挟持板６ｂの磁石９ｃが引き合い台衿１５ｂを留める。
こうして、隣り合い対向した台衿１５ａと台衿１５ｂを引き寄せてボタン代わりに留める。
ここでは、水分に強い図６、図７、図８に示すクリップを使う。
ボタンを留める時とは比べることができないほど、簡単に取り付けや取り外しができる。
【００４２】
図１２に示すのは、ケース１６に値札や商品名札、名前札などを表示するカード１７をつける。
また、家庭においては物の整理するときに利用すると便利である。
クリップの第一挟持部３でケース１６の縁を挟んで湾曲連結部７aに触れるまで入れる。第二挟持部４で表示するカード１７を挟んで湾曲連結部７ｂに触れるまで入れて挟持する。
この方法は、ケースが布、段ボール、プラスチック、木など何でも磁力の働く範囲であれば同じ方法で使える。
【００４３】
図１３に示すのは、互いに隣接する２つのカーテン１８aとカーテン１８ｂの対向する各側端を引き寄せて、カーテン１８aとカーテン１８ｂの隙間を防止するためにクリップを使っている様子。
【００４４】
図１４に示すのは、図１３を上面からの断面図で示したものである。
第一挟持部３で一方のカーテン１８ａを挟み、第二挟持部４で他方のカーテン１８ｂを挟む。
引き寄せることによって、互いに隣接する２つの対向したカーテン１８aとカーテン１８ｂとの隙間がなくなる。
強力に挟持しているため、横に引っ張っても引き離れることはない。
カーテン１８a、カーテン１８ｂの形状が崩れていても、挟持することができ隙間を防止することができる。
また、カーテン１８a、１８ｂの形状の崩れを修正することもできる。
【００４５】
図１５、図１６が示すのは、名札ケース１９を服のポケット２０に付ける。
取り付け方は、第一挟持部３の挟持板６ａを名札ケース１９の上部の穴２１に差し込んで、名札ケース１９を第一挟持部３に取り付ける。
次に、第二挟持部４の挟持板６ｂを支持基板５から離して、開けたところをポケット２０に上から挟み込み湾曲連結部７ｂに当たるまで差し込む。
ポケットのない服でも、首周りにポケットに差し込むようにして取り付けることができる。
【００４６】
図１７に示すのは、第一挟持部３で、キーケース２２のリング２３を挟持板６aに通し、挟持溝８aに入れる。
入れた後は、湾曲連結部７aで吊るした状態に。
それを第二挟持部４の磁石９ｃと第一挟持部３の磁石９ｂの磁力によって冷蔵庫などの鉄系金属板に吸着させる。
【００４７】
図１８に示すのは、第一挟持部３の支持基板５と挟持板６ａで束ねたコード２４を挟む。
同時に第二挟持部４で別のコードを挟むこともでき、２本のコードが絡まらず整理することができる。
鉄系の金属板に吸着させて整理することもできるし、そのままで収納ケースなどに入れておくこともできる。
【００４８】
図１９に示すのは、鉄系の金属ではない小物入れや筆記用具入れなどの蓋なしの箱２５の縁を第二挟持部４で挟んで、第一挟持部３の挟持溝８ａに輪ゴム２７を湾曲連結部７ａに吊るし、第一挟持部３の磁石の磁力によって、はさみ２６などの金属製のものを吸着する。
普段よく使うものや挟んでおくと便利なものを吸着させると便利である。
輪ゴム２７を取り出すときは、はさみ２６を外して、挟持板６ａを支持基板５から離して取り出す。
【００４９】
図２０に示すのは、ノート２８を第一挟持部３で挟持し、第二挟持部４でペン２９を挟持する。
ノート２８とペン２９がセットになり、使い勝手がよくなる。
ノート２８も全体を挟むことができるので、開いたりせず携帯しやすい。
ノート２８とペン２９のどちらから挟んでもよい。
【００５０】
図２１に示すのは、２個のクリップ１を使って、棒３０を支える。
棒３０の両端を２個のクリップ１の第一挟持部３で挟み、2個とも第二挟持部４で鉄系金属に吸着させて固定する。
第二挟持部４と鉄系金属の間に用紙などを挟むことができる。
【００５１】
図２１に示すのは、棒３０にぶら下げたクリップ１である。
挟持溝があるので、棒３０にぶら下げることができる。
細い棒の時は、挟持溝に入り、湾曲連結部でぶら下がった状態になるが、太い棒の時は、支持基板と挟持板の間の挟持溝が膨らみ、押さえることになる。
柔軟性のある材質を使った場合には、このように応用範囲が増える。
【００５２】
図２２に示すのは、冷蔵庫やロッカー３３など鉄系金属でできていて、上面と側面が角になっている場合。
クリップの第一挟持部３の挟持板６ａを支持基板５から引き離して、挟持板６ａの磁石９aで上面に吸着させ、対向していた支持基板５の磁石９ｂを側面に吸着させる。
第二挟持部４の支持基板５の磁石９ｄも吸着している。３点で吸着していることになる。第二挟持部４で被挟持物を挟持する。
また、側面が磁石９ｂ、磁石９ｄが吸着できない木やプラスチックなどのときは、上面で吸着している磁石９aだけで支えられる。
Ｌ字状で支えているため、力学的にもずり落ちることなくしっかり固定される。
【００５３】
図２３に示すのは、図２２と同じ使い方であるが、台、テーブルやスチールの棚３４などのように厚みがなく側面に磁石９ｂ、９ｄが吸着するものがない時、第一挟持部３の挟持板６ａの磁石９aだけで上面に吸着し、第二挟持板４の挟持板６ｂと支持基板５はぶら下がった状態で、被挟持物を挟持する。
Ｌ字状で上面に吸着しているため、被挟持物の重みで落ちることなく吊り下げることができる。
Ｌ字状にならないクリップのときは、使用ができない。
【００５４】
図２４に示すのは、ベルト３２など幅のあるものを吊り下げるには、クリップ１を横向けにして使用する。
鉄系の金属に磁石９ｃが吸着し、磁石９ｂが直接ではないが磁力の力が働いて吸着している。２個の磁石９ｂ、９ｃで吸着しているため、クリップがずり落ちることもなく吊るすことができる。
クリップ１には、第一挟持部３と第二挟持部４があり、２本分吊り下げることができる。ベルト３２は挟持溝８aの中を通っているが、細くて挟持できずに抜けるものは、支持基板５の磁石９ｂと挟持板６aの磁石９aで直接挟むようにすると固定できる。
本クリップ１は厚みがないのでスチール製のロッカーで使うと邪魔にならず、簡単に取り外しもでき便利。
また、物差しなど長くて横向けにして置けなときにも利用できる。
【００５５】
図２５に示すのは、第一挟持部３はコード２４を挟み、第二挟持部４は挟持板６ｂを支持基板５から離して、伸ばして、３個の磁石９ｂ、磁石９ｃ、磁石９ｄが鉄系の金属に吸着する。
３点で磁石が吸着をしているため、２つの磁石で吸着するよりも強く吸着し、重いものでも矜持することができる。
【００５６】
次に、本発明の第２の使い方について説明する。
【００５７】
図３１に示すのは、第一本体３７と第二本体３８との角度を９０度にして、縦と横に挟持できるようにして、第一本体３７でメモ用紙４９を挟持し、次に横に向いた第二本体３８でカレンダー５０の端を挟持し固定する。
横しか挟めない時には、このように使うことができる。
【００５８】
図３２に示すのは、Ｖ首の服５１に名札ケース５２を付けたい時、第一本体３７で名札ケース５２を挟持し、第二本体３８でＶ首の服５１の斜めになっている所を挟持し、名札ケースが水平になるように第一本体３７を回転させる。
本発明は以上のような構成である。
【符号の説明】
【００５９】
１  クリップ    
２  クリップ本体  
３  第一挟持部
４  第二挟持部
５  支持基板
６ａ、６ｂ  挟持板
７ａ、７ｂ  湾曲連結部
８ａ、８ｂ  挟持溝
９ａ、９ｂ  ９ｃ、９ｄ  磁石
１０ａ、１０ｂ  先端部
１１ａ、１１ｂ、１１ｃ、１１ｄ  鉄系金属板
１２ａ、１２ｂ  磁石カバー
１３ａ、１３ｂ  被挟持物
１４  ワイシャツ
１５ａ，１５ｂ  台衿
１６  ケース
１７  カード
１８ａ、１８ｂ  カーテン
１９  名札ケース
２０  服の胸ポケット
２１  穴
２２  キーケース
２３  リング
２４  コード
２５  箱
２６  はさみ
２７  輪ゴム
２８  ノート
２９  ペン
３０  棒
３１  用紙
３２  ベルト
３３  ロッカー
３４  棚                            
３５  シリコンや合成樹脂
３６ａ、３６ｂ  溝
３７  第一本体
３８  第二本体
３９ａ、３９ｂ  一辺
４０ａ、４０ｂ  挟持板
４１ａ、４１ｂ  湾曲連結部
４２ａ、４２ｂ  挟持溝
４３ａ、４３ｂ  ４３ｃ、４３ｄ  磁石
４４ａ、４４ｂ  先端部
４５  凸
４６  凹
４７ａ、４７ｂ  穴
４８  留め具
４９  メモ用紙
５０  カレンダー
５１  Ｖ首の服
５２  名札ケース
【図１】
2019064215.tif 000003
【図２】
2019064215.tif 000004
【図３】
2019064215.tif 000005
【図４】
2019064215.tif 000006
【図５】
2019064215.tif 000007
【図６】
2019064215.tif 000008
【図７】
2019064215.tif 000009
【図８】
2019064215.tif 000010
【図９】
2019064215.tif 000011
【図１０】
2019064215.tif 000012
【図１１】
2019064215.tif 000013
【図１２】
2019064215.tif 000014
【図１３】
2019064215.tif 000015
【図１４】
2019064215.tif 000016
【図１５】
2019064215.tif 000017
【図１６】
2019064215.tif 000018
【図１７】
2019064215.tif 000019
【図１８】
2019064215.tif 000020
【図１９】
2019064215.tif 000021
【図２０】
2019064215.tif 000022
【図２１】
2019064215.tif 000023
【図２２】
2019064215.tif 000024
【図２３】
2019064215.tif 000025
【図２４】
2019064215.tif 000026
【図２５】
2019064215.tif 000027
【図２６】
2019064215.tif 000028
【図２７】
2019064215.tif 000029
【図２８】
2019064215.tif 000030
【図２９】
2019064215.tif 000031
【図３０】
2019064215.tif 000032
【図３１】
2019064215.tif 000033
【図３２】
2019064215.tif 000034